(57)【要約】  【課題】カラーフィルターを用いた液晶表示装置用のソースドライバを有効に活用し、そのソースドライバに入力する信号の転送速度を低減したＦＳＣ方式の液晶表示装置を提供する。  【解決手段】１画素が１つの液晶を有する液晶パネル１６と、赤、緑、青の３色のバックライト１７と、３つの入力部ＲＩＮ、ＢＩＮ、ＧＩＮと３Ｍ個の出力部ＳＲ０、ＳＧ０、…を有し、３Ｎ−２番目、３Ｎ−１番目、３Ｎ番目の出力部（１≦Ｎ≦Ｍ）が、それぞれ、液晶パネル１６の３Ｎ−２番目、３Ｎ−１番目、３Ｎ番目の画素に接続されているソースドライバ１３と、入力される映像入力信号を変換して３つの入力部ＲＩＮ、ＢＩＮ、ＧＩＮに入力する信号処理部１０とを備え、３つの入力部ＲＩＮ、ＢＩＮ、ＧＩＮに順番に同時に入力されてくるそれぞれの信号は、その順番に応じてＮを１ずつ増加させながら、３Ｎ−２番目、３Ｎ−１番目、３Ｎ番目の出力部から同時に出力されていく。【選択図】図２
2006293030.tif 000002
【特許請求の範囲】
【請求項１】
１画素が１つの液晶を有する液晶パネルと、
１画素に対して、赤、緑、青の３色が対応づけられたバックライトと、
Ｒ用、Ｇ用、Ｂ用の３つの入力部と３Ｍ個の出力部を有し、３Ｎ−２番目、３Ｎ−１番目、３Ｎ番目の前記出力部（Ｍ、Ｎは、１≦Ｎ≦Ｍを満たす正の整数）が、それぞれ、前記液晶パネルの、３Ｎ−２番目、３Ｎ−１番目、３Ｎ番目の画素に接続されている、ソースドライバと、
入力される映像入力信号を前記液晶パネルに表示させる信号に変換して、前記Ｒ用、Ｇ用、Ｂ用の３つの入力部に入力する信号処理部とを備えた液晶表示装置であって、
前記ソースドライバは、前記Ｒ用、Ｇ用、Ｂ用の３つの入力部に順番に同時に入力されてくるそれぞれの信号を、前記順番に応じてＮを１ずつ増加させながら、３Ｎ−２番目、３Ｎ−１番目、３Ｎ番目の前記出力部から同時に出力していく、液晶表示装置。
【請求項２】
前記信号処理部は、前記入力される映像入力信号の赤、緑、青のそれぞれの階調データについて、３Ｎ−２番目、３Ｎ−１番目、３Ｎ番目の画素に対応する階調データが、それぞれ、前記Ｒ用、Ｇ用、Ｂ用の３つの入力部に同時に入力されていくように、Ｎを１ずつ増加させながら順番に出力していく、請求項１に記載の液晶表示装置。
【請求項３】
前記バックライトは、赤、緑、青のＬＥＤ素子である、請求項１に記載の液晶表示装置。
【請求項４】
前記信号処理部は、１フレーム期間において、赤、緑、青のそれぞれの階調データを前記Ｒ用、Ｇ用、Ｂ用の３つの入力部に入力するとともに、各画素ごとの赤、緑、青の階調データから白の階調データを算出して前記Ｒ用、Ｇ用、Ｂ用の３つの入力部に入力し、前記バックライトの赤、緑、青の３色を同時に発光させて白を表示させる、請求項１に記載の液晶表示装置。
【請求項５】
１画素が１つの液晶を有する構造の液晶パネルと、
Ｒ用、Ｇ用、Ｂ用の３つの入力部と３Ｍ個の出力部を有し、前記Ｒ用、Ｇ用、Ｂ用の３つの入力部に順番に同時に入力されてくるそれぞれの信号が、前記順番に応じてＮが１ずつ増加しながら（Ｍ、Ｎは、１≦Ｎ≦Ｍを満たす正の整数）、３Ｎ−２番目、３Ｎ−１番目、３Ｎ番目の前記出力部に同時に伝達されていく構造のソースドライバとを備えた液晶表示装置の製造方法であって、
３Ｎ−２番目、３Ｎ−１番目、３Ｎ番目の前記出力部を、それぞれ、前記液晶パネルの、３Ｎ−２番目、３Ｎ−１番目、３Ｎ番目の画素に結線する、液晶表示装置の製造方法。
【請求項６】
Ｒ用、Ｇ用、Ｂ用の３つの入力部と３Ｍ個の出力部を有し、前記Ｒ用、Ｇ用、Ｂ用の３つの入力部に順番に同時に入力されてくるそれぞれの信号が、前記順番に応じてＮが１ずつ増加しながら（Ｍ、Ｎは、１≦Ｎ≦Ｍを満たす正の整数）、３Ｎ−２番目、３Ｎ−１番目、３Ｎ番目の前記出力部に同時に出力されていくソースドライバと、
１画素が１つの液晶を有しており、３Ｎ−２番目、３Ｎ−１番目、３Ｎ番目の前記出力部が、それぞれ、３Ｎ−２番目、３Ｎ−１番目、３Ｎ番目の画素に接続されている液晶パネルとを備えた液晶表示装置の映像データ伝送方法であって、
入力される映像入力信号を、赤、緑、青のそれぞれの階調データに分割する、映像信号分割ステップと、
前記赤、緑、青のそれぞれの階調データについて、３Ｎ−２番目、３Ｎ−１番目、３Ｎ番目の画素に対応する階調データが、それぞれ、前記Ｒ用、Ｇ用、Ｂ用の３つの入力部に同時に入力されていくように、Ｎを１ずつ増加させながら順番に入力させていく、階調データ入力ステップとを備えた、画像データの転送方法。
【請求項７】
請求項６に記載の画像データの転送方法の、入力される映像入力信号を、赤、緑、青のそれぞれの階調データに分割する前記映像信号分割ステップと、前記赤、緑、青のそれぞれの階調データについて、３Ｎ−２番目、３Ｎ−１番目、３Ｎ番目の画素に対応する階調データが、それぞれ、前記Ｒ用、Ｇ用、Ｂ用の３つの入力部に同時に入力されていくように、Ｎを１ずつ増加させながら順番に入力させていく前記階調データ入力ステップと、を実行するためにコンピュータを機能させるためのプログラム。
【請求項８】
請求項７に記載のプログラムを記録した記録媒体であって、コンピュータで利用可能な記録媒体。
【発明の詳細な説明】
【技術分野】
【０００１】
本発明は、フィールドシーケンシャルカラー方式の液晶表示装置、液晶表示装置の製造方法、および画像データの転送方法に関する。例えば、ＯＣＢモード液晶を用いた液晶表示装置、液晶表示装置の製造方法、および画像データの転送方法に関する。
【背景技術】
【０００２】
液晶表示装置は、デスクトップＰＣ用のモニタやＴＶ表示用途のもの以外に、携帯電話、ＰＤＡといった小型・携帯用途のものがある。これまでは携帯用途のディスプレイには反射型のモノクロ液晶が多く用いられてきたが、携帯電話の用途の広がりからカラー化が進んでいる。また、従来のＳＴＮ方式ＬＣＤから、最近では、より映像品位の高い表示が可能なＴＦＴを用いたアクティブマトリクス方式のものが多く用いられるようになってきた。
【０００３】
液晶表示装置で一般的に色表示を行う際には、カラーフィルターを用いるのが通常である。カラーフィルターは、選択的な波長を通過させる特性を有する樹脂を複数種形成した基板である。
【０００４】
最近では、さらにパソコンと同じような画像品位が携帯用途にも求められるようになってきており、フィールドシーケンシャルカラー方式の液晶表示装置の開発が進められている。
【０００５】
フィールドシーケンシャルカラー方式は、各画素にカラーフィルターを付けずに、１画素で３色（Ｒ、Ｇ、Ｂ）の画像を順次表示する方式であり、従来の駆動方式の液晶に比べ、高透過率化が図れる等の利点を有している。
【０００６】
図７は、フィールドシーケンシャルカラー方式で、１フレームを表示させる際の、表示用データ書き込みタイミングおよびＬＥＤ発光タイミングの一例を示す図である。この場合には、ＲＧＢ３色のＬＥＤ光源を用いたバックライトを利用して高速の色切替えを実現している。
【０００７】
図７の駆動タイミングは、データの書き込みタイミングおよびデータの保持タイミングを示している。また、Ｒ＿ＬＥＤ、Ｇ＿ＬＥＤ、Ｂ＿ＬＥＤは、それぞれ、赤のＬＥＤ、緑のＬＥＤ、青のＬＥＤの発光タイミングを示している。Ｒ＿ＬＥＤ、Ｇ＿ＬＥＤ、Ｂ＿ＬＥＤにおいて、ＬＯＷ期間はＬＥＤが発光していない期間を、ＨＩＧＨ期間はＬＥＤが発光している期間を、それぞれ示している。
【０００８】
図７の駆動タイミングに示すＲ順次は、赤（Ｒ）の階調に対応した電圧を液晶に書き込んでいる期間を示し、それに続くＨＯＬＤは、液晶に書き込んだ赤の階調に対応した電圧を保持している期間を示している。同様に、Ｇ順次は、緑（Ｇ）の階調に対応した電圧を液晶に書き込んでいる期間を示し、それに続くＨＯＬＤは、液晶に書き込んだ緑の階調に対応した電圧を保持している期間を示している。また同様に、Ｂ順次は、青（Ｂ）の階調に対応した電圧を液晶に書き込んでいる期間を示し、それに続くＨＯＬＤは、液晶に書き込んだ青の階調に対応した電圧を保持している期間を示している。
【０００９】
図７に示すように、赤の階調に対応した電圧を書き込み保持させているタイミングに、赤のＬＥＤを発光させることによりディスプレイ上に赤色を表示させる。同様に、緑の階調に対応した電圧を書き込み保持させているタイミングに、緑のＬＥＤを発光させることにより緑色を表示させ、青の階調に対応した電圧を書き込み保持させているタイミングに、青のＬＥＤを発光させることにより青色を表示させる。
【００１０】
このように、赤、緑、青の各色に対する階調に応じて液晶状態を制御し、バックライトを時間的に赤、緑、青と切り替えながら点灯させることで、赤、緑、青の映像を順次表示させて時間的に混合することでフルカラー表示が得られる。１フレーム期間（１６．６ｍｓ）に、赤、緑、青のバックライトを切り替えて点灯させることにより、１フレームの画像を表示させる。
【００１１】
フレーム周波数は通常６０Ｈｚなので、フィールドシーケンシャルカラー方式における色切替え周波数は、その３倍の１８０Ｈｚとなる。したがって、液晶パネルに高速応答性が要求されるため、例えばＯＣＢモードの液晶を用いる。
【００１２】
図８は、フィールドシーケンシャルカラー方式を用いた従来の構成の液晶表示装置における、液晶表示パネルとソースドライバの接続を示している。
【００１３】
フィールドシーケンシャルカラー方式の液晶表示装置は、一般的に、カラーフィルターを用いる構成の液晶表示装置の構成を利用して実現している。
【００１４】
図８の、液晶表示パネル５０は、カラーフィルターを用いる液晶表示装置の液晶表示パネルからカラーフィルターを取り除いた構成の液晶表示パネルである。
【００１５】
バックライトには、赤、緑、青の３色のＬＥＤ光源が切り替えられる構成のＬＥＤバックライト１７を備えている。
【００１６】
ソースドライバ１３、６１、６２、ゲートドライバ１４、信号処理部６０、およびこれらと液晶表示パネル５０への接続は、カラーフィルターを用いる液晶表示装置の構成と同じ構成である。
【００１７】
つまり、図８の液晶表示装置は、バックライトをフィールドシーケンシャルカラー方式用のＬＥＤバックライト１７とし、液晶表示パネルのカラーフィルターを取り除いた以外は、カラーフィルターを用いた液晶表示装置の構成をそのまま用いており、信号処理部６０における映像信号の処理内容を変更することにより、フィールドシーケンシャルカラー方式の表示を実現している。
【００１８】
液晶表示パネル５０の各画素は、３つの液晶により１画素が形成されている。つまり、カラーフィルターを用いた際に、赤（Ｒ）、緑（Ｇ）、青（Ｂ）のフィルターが取り付けられていた３つの液晶（Ｒ用液晶、Ｇ用液晶、Ｂ用液晶）で、１画素が形成されている。画素５１、５２、５３は、ソースドライバ１３に接続される３つの画素を示しており、さらにこれらに続く画素も、同様にソースドライバ１３、６１、６２のいずれかに接続されている。
【００１９】
３つのソースドライバ１３、６１、６２は、同じ構成をしている。ここでは説明のために、画素５１、５２、５３に接続されるソースドライバ１３の入出力部分のみに符号を付している。
【００２０】
ソースドライバ１３の出力部ＳＲ０、ＳＧ０、ＳＢ０は、それぞれ、画素５１のＲ用液晶、Ｇ用液晶、Ｂ用液晶に接続されている。同様に、出力部ＳＲ１、ＳＧ１、ＳＢ１は、それぞれ、画素５２のＲ用液晶、Ｇ用液晶、Ｂ用液晶に、出力部ＳＲ２、ＳＧ２、ＳＢ２は、それぞれ、画素５３のＲ用液晶、Ｇ用液晶、Ｂ用液晶に接続されている。
【００２１】
また、ソースドライバ１３のＲＩＮは、信号処理部６０に接続されており、各画素のＲ用液晶に書き込む電圧に対応するデータが入力される。同様に、ＧＩＮおよびＢＩＮも、信号処理部６０に接続されており、それぞれ、各画素のＧ用液晶およびＢ用液晶に書き込む電圧に対応するデータが入力される。
【００２２】
次に、この従来の構成の液晶表示装置を用いて、フィールドシーケンシャルカラー方式で表示させる際の、動作およびデータの流れについて、図７〜図９を用いて説明する。ここでは、赤のデータを書き込み表示させる動作について説明する。
【００２３】
図９（ａ）は、赤の階調データに対応する電圧を液晶表示パネル５０の全画素に書き込む際における、すなわち図７に示すＲ順次の期間における、ソースドライバ１３への入力信号のタイミングを示しており、図９（ｂ）は、その際の、液晶表示パネル５０の各画素５１、５２、５３への表示用電圧の書き込みタイミングを示している。図９（ａ）に示す、Ｒ０、Ｒ１、Ｒ２、…は、それぞれ、液晶表示パネル５０の各画素５１、５２、５３、…に書き込む赤の階調データを示している。そして、図９（ｂ）に示す、Ｒ０、Ｒ１、Ｒ２、…は、それぞれ、各画素５１、５２、５３、…の各液晶（Ｒ用液晶、Ｇ用液晶、Ｂ用液晶）への書き込み電圧を示している。
【００２４】
信号処理部６０は、入力される映像信号から、赤の映像データを抽出し、ソースドライバ１３の入力部ＲＩＮ、ＧＩＮ、ＢＩＮに入力する。ここで、信号処理部６０は、図９（ａ）に示すように、同じデータを同じタイミングで、ソースドライバ１３の入力部ＲＩＮ、ＧＩＮ、ＢＩＮのそれぞれに入力する。
【００２５】
そして、液晶表示パネル５０の画素５１の３つの液晶（Ｒ用液晶、Ｇ用液晶、Ｂ用液晶）には、図９（ｂ）に示すように、同じ赤の階調データに対応する電圧Ｒ０が、同じタイミングで書き込まれる。同様に、画素５２の３つの液晶（Ｒ用液晶、Ｇ用液晶、Ｂ用液晶）には、同じ赤の階調データに対応する電圧Ｒ１が同じタイミングで書き込まれ、画素５３の３つの液晶（Ｒ用液晶、Ｇ用液晶、Ｂ用液晶）には、同じ赤の階調データに対応する電圧Ｒ２が同じタイミングで書き込まれる。
【００２６】
このようにして、図７に示すＲ順次の期間に、液晶表示パネルの全画素に赤の階調データに対応する電圧を書き込み保持させるとともに、赤のＬＥＤを点灯させて赤色を表示させる。
【００２７】
ここで、画素５１について見ると、画素５１が有する３つの液晶に同じ電圧Ｒ０が書き込まれるので、赤のＬＥＤの発光により同じ階調でこれらの３つの液晶が表示されて、１画素として所望の階調で表示されることになる。
【００２８】
同様にして、信号処理部６０が、Ｇ順次の期間には、緑の階調データのみをソースドライバ１３、６１、６２に送信することによりそれぞれの画素に緑の階調に対応した電圧が順次書き込まれ、Ｂ順次の期間には、青の階調データのみをソースドライバ１３、６１、６２に送信することによりそれぞれの画素に青の階調に対応した電圧が順次書き込まれるので、緑および青の表示が行われる。これらの、赤、緑、青の表示を１フレーム期間（１６．６ｍｓ）に切り替えて行うことにより、１フレームが表示される。
【００２９】
上記のように、信号処理部６０に入力される映像信号に基づいて、図９（ａ）に示すデータおよびタイミングで各ソースドライバ１３、６１、６２に入力することにより、カラーフィルターを用いた液晶表示装置の構成を用いて、フィールドシーケンシャルカラー方式による表示を実現している。
【発明の開示】
【発明が解決しようとする課題】
【００３０】
しかしながら、従来の液晶表示装置の構成を用いたフィールドシーケンシャルカラー方式での表示方法では、ソースドライバから画素に接続される出力ラインを有効に活用できていなかった。
【００３１】
図９（ｂ）に示すように、１画素への電圧（例えば画素５１への電圧）を書き込むために、３つの出力ライン（ＳＲ０、ＳＲ１、ＳＲ２）を使用して同じ電圧（Ｒ０）を書き込んでいた。同じ電圧を書き込むのであるから、これら３本のラインのうち２本は有効に使用されていなかったことになる。
【００３２】
また、図９（ａ）に示すように、ソースドライバ１３の３つの入力部（ＲＩＮ、ＧＩＮ、ＢＩＮ）に、同時に同じデータを入力させるために、信号処理部６０からソースドライバ１３へのデータ転送を高速に行わなければならなかった。
【００３３】
本発明は、上述した従来の課題を解決するもので、従来のカラーフィルターを用いて駆動させる方式の液晶表示装置用のソースドライバを有効に活用し、そのソースドライバに入力する信号の転送速度を低減できる、フィールドシーケンシャルカラー方式の液晶表示装置、液晶表示装置の製造方法、および画像データの転送方法を提供することを目的とする。
【課題を解決するための手段】
【００３４】
上述した課題を解決するために、第１の本発明は、
１画素が１つの液晶を有する液晶パネルと、
１画素に対して、赤、緑、青の３色が対応づけられたバックライトと、
Ｒ用、Ｇ用、Ｂ用の３つの入力部と３Ｍ個の出力部を有し、３Ｎ−２番目、３Ｎ−１番目、３Ｎ番目の前記出力部（Ｍ、Ｎは、１≦Ｎ≦Ｍを満たす正の整数）が、それぞれ、前記液晶パネルの、３Ｎ−２番目、３Ｎ−１番目、３Ｎ番目の画素に接続されている、ソースドライバと、
入力される映像入力信号を前記液晶パネルに表示させる信号に変換して、前記Ｒ用、Ｇ用、Ｂ用の３つの入力部に入力する信号処理部とを備えた液晶表示装置であって、
前記ソースドライバは、前記Ｒ用、Ｇ用、Ｂ用の３つの入力部に順番に同時に入力されてくるそれぞれの信号を、前記順番に応じてＮを１ずつ増加させながら、３Ｎ−２番目、３Ｎ−１番目、３Ｎ番目の前記出力部から同時に出力していく、液晶表示装置である。
【００３５】
また、第２の本発明は、
前記信号処理部は、前記入力される映像入力信号の赤、緑、青のそれぞれの階調データについて、３Ｎ−２番目、３Ｎ−１番目、３Ｎ番目の画素に対応する階調データが、それぞれ、前記Ｒ用、Ｇ用、Ｂ用の３つの入力部に同時に入力されていくように、Ｎを１ずつ増加させながら順番に出力していく、第１の本発明の液晶表示装置である。
【００３６】
また、第３の本発明は、
前記バックライトは、赤、緑、青のＬＥＤ素子である、第１の本発明の液晶表示装置である。
【００３７】
また、第４の本発明は、
前記信号処理部は、１フレーム期間において、赤、緑、青のそれぞれの階調データを前記Ｒ用、Ｇ用、Ｂ用の３つの入力部に入力するとともに、各画素ごとの赤、緑、青の階調データから白の階調データを算出して前記Ｒ用、Ｇ用、Ｂ用の３つの入力部に入力し、前記バックライトの赤、緑、青の３色を同時に発光させて白を表示させる、第１の本発明の液晶表示装置である。
【００３８】
また、第５の本発明は、
１画素が１つの液晶を有する構造の液晶パネルと、
Ｒ用、Ｇ用、Ｂ用の３つの入力部と３Ｍ個の出力部を有し、前記Ｒ用、Ｇ用、Ｂ用の３つの入力部に順番に同時に入力されてくるそれぞれの信号が、前記順番に応じてＮが１ずつ増加しながら（Ｍ、Ｎは、１≦Ｎ≦Ｍを満たす正の整数）、３Ｎ−２番目、３Ｎ−１番目、３Ｎ番目の前記出力部に同時に伝達されていく構造のソースドライバとを備えた液晶表示装置の製造方法であって、
３Ｎ−２番目、３Ｎ−１番目、３Ｎ番目の前記出力部を、それぞれ、前記液晶パネルの、３Ｎ−２番目、３Ｎ−１番目、３Ｎ番目の画素に結線する、液晶表示装置の製造方法である。
【００３９】
また、第６の本発明は、
Ｒ用、Ｇ用、Ｂ用の３つの入力部と３Ｍ個の出力部を有し、前記Ｒ用、Ｇ用、Ｂ用の３つの入力部に順番に同時に入力されてくるそれぞれの信号が、前記順番に応じてＮが１ずつ増加しながら（Ｍ、Ｎは、１≦Ｎ≦Ｍを満たす正の整数）、３Ｎ−２番目、３Ｎ−１番目、３Ｎ番目の前記出力部に同時に出力されていくソースドライバと、
１画素が１つの液晶を有しており、３Ｎ−２番目、３Ｎ−１番目、３Ｎ番目の前記出力部が、それぞれ、３Ｎ−２番目、３Ｎ−１番目、３Ｎ番目の画素に接続されている液晶パネルとを備えた液晶表示装置の映像データ伝送方法であって、
入力される映像入力信号を、赤、緑、青のそれぞれの階調データに分割する、映像信号分割ステップと、
前記赤、緑、青のそれぞれの階調データについて、３Ｎ−２番目、３Ｎ−１番目、３Ｎ番目の画素に対応する階調データが、それぞれ、前記Ｒ用、Ｇ用、Ｂ用の３つの入力部に同時に入力されていくように、Ｎを１ずつ増加させながら順番に入力させていく、階調データ入力ステップとを備えた、画像データの転送方法である。
【００４０】
また、第７の本発明は、
第６の本発明の画像データの転送方法の、入力される映像入力信号を、赤、緑、青のそれぞれの階調データに分割する前記映像信号分割ステップと、前記赤、緑、青のそれぞれの階調データについて、３Ｎ−２番目、３Ｎ−１番目、３Ｎ番目の画素に対応する階調データが、それぞれ、前記Ｒ用、Ｇ用、Ｂ用の３つの入力部に同時に入力されていくように、Ｎを１ずつ増加させながら順番に入力させていく前記階調データ入力ステップと、を実行するためにコンピュータを機能させるためのプログラムである。
【００４１】
また、第８の本発明は、
第７の本発明のプログラムを記録した記録媒体であって、コンピュータで利用可能な記録媒体である。
【発明の効果】
【００４２】
本発明により、従来のカラーフィルターを用いて駆動させる方式の液晶表示装置用のソースドライバを有効に活用し、そのソースドライバに入力する信号の転送速度を低減できる、フィールドシーケンシャルカラー方式の液晶表示装置、液晶表示装置の製造方法、および画像データの転送方法を提供することができる。
【発明を実施するための最良の形態】
【００４３】
以下、本発明の実施の形態について、図面を参照しながら説明する。
【００４４】
（実施の形態１）
図１は、本発明の実施の形態１の液晶表示装置の構成を示すブロック図である。本実施の形態１の液晶表示装置は、ＯＣＢモード液晶を用いたフィールドシーケンシャルカラー方式の液晶表示装置である。
【００４５】
本実施の形態１の液晶表示装置は、ＯＣＢモード液晶を用いた液晶表示パネル１６と、赤、緑、青の３色の光源を持つＬＥＤバックライト１７を備えている。液晶表示パネル１６は、ソースドライバ１３およびゲートドライバ１４に駆動され、ＬＥＤバックライト１７は、ＬＥＤドライバ１５に駆動される。
【００４６】
信号処理部１０は、入力される映像信号に基づいてソースドライバ１３に送信するデータを作成する信号変換部１８を有している。また、信号処理部１０は、ソースドライバ１３およびゲートドライバ１４を制御する液晶ドライバ制御部１１と、ＬＥＤドライバ１５を制御するＬＥＤドライバ制御部１２を有している。
【００４７】
図２は、本実施の形態１の液晶表示装置における、液晶表示パネル１６とソースドライバ１３の接続を示している。
【００４８】
なお、図１および図２において、図８に示す従来の液晶表示装置と同じ符号で示す部分は、図８と同じ構成部分である。つまり、本実施の形態１の液晶表示装置は、液晶表示パネル１６は、従来の液晶表示装置の液晶表示パネル５０とは異なるが、ソースドライバ１３、ゲートドライバ１４、ＬＥＤバックライト１７は、従来の液晶表示装置と同じ構成である。
【００４９】
液晶表示パネル１６の各画素は、１つの液晶により１画素が形成されている正方画素である。３つの液晶により１画素を形成していた従来の液晶表示パネル５０とは、この点において構成が異なる。画素２１、２２、２３、２４は、ソースドライバ１３に接続される４つの画素を示しており、さらにこれらに続く画素も、同様にソースドライバ１３に接続されている。
【００５０】
各画素は１つの液晶により形成されているので、図２に示すように、各画素２１、２２、２３、２４の有する液晶は、それぞれ１本の電圧書き込みラインによってソースドライバ１３に接続されている。
【００５１】
ソースドライバ１３の出力部ＳＲ０、ＳＧ０、ＳＢ０、ＳＲ１は、それぞれ、画素２１の液晶、画素２２の液晶、画素２３の液晶、画素２４の液晶に接続されている。同様に、それ以降のソースドライバ１３の出力部ＳＧ１、ＳＢ１、ＳＲ２、…も、それ以降に続く画素の液晶に順に接続されている。
【００５２】
図８に示す従来の構成の液晶表示装置では、ソースドライバ１３の出力部の３本ずつが１画素に接続されていたのに対し、本実施の形態１の液晶表示装置では、１画素を１つの液晶で形成させたことにより、ソースドライバ１３の１つの出力部が１画素に接続される構成となっている。したがって、図２に示す本実施の形態１の液晶表示装置では、ソースドライバ６１、６２は不要で、１個のソースドライバ１３で液晶表示パネル１６を駆動する構成となっている。
【００５３】
また、ソースドライバ１３の入力部ＲＩＮは、信号処理部１０に接続されており、ＳＲ０、ＳＲ１、ＳＲ２、…の各出力部から出力する電圧に対応するデータが入力される。同様に、ソースドライバ１３のＧＩＮには、ＳＧ０、ＳＧ１、ＳＧ２、…の各出力部から出力する電圧に対応するデータが入力され、ＢＩＮには、ＳＢ０、ＳＢ１、ＳＢ２、…の各出力部から出力する電圧に対応するデータが入力される。
【００５４】
ＳＲ０、ＳＲ１、ＳＲ２、…の各出力部は、図８の液晶表示パネル５０が接続される場合に、各画素のＲ用液晶に接続される出力部である。同様に、ＳＧ０、ＳＧ１、ＳＧ２、…の各出力部は、図８の液晶表示パネル５０が接続される場合に、各画素のＧ用液晶に接続される出力部であり、ＳＢ０、ＳＢ１、ＳＢ２、…の各出力部は、図８の液晶表示パネル５０が接続される場合に、各画素のＢ用液晶に接続される出力部である。
【００５５】
なお、ソースドライバ１３の３つの入力部ＲＩＮ、ＧＩＮ、ＢＩＮが、本発明の、Ｒ用、Ｇ用、Ｂ用の３つの入力部の一例にあたる。また、ソースドライバ１３の全出力部ＳＲ０、ＳＧ０、ＳＢ０、ＳＲ１、…ＳＢＭ（Ｍは正の整数）が、本発明の３Ｍ個の出力部の一例にあたる。
【００５６】
また、ソースドライバ１３の出力部ＳＲ０、ＳＧ０、ＳＢ０が、Ｎ＝０の場合の本発明の、３Ｎ−２番目、３Ｎ−１番目、３Ｎ番目の出力部の一例にあたる。また、画素２１、画素２２、画素２３が、Ｎ＝０の場合の本発明の、３Ｎ−２番目、３Ｎ−１番目、３Ｎ番目の画素の一例にあたる。
【００５７】
次に、本実施の形態１の液晶表示装置を用いて、フィールドシーケンシャルカラー方式で表示させる際の動作およびデータの流れについて、図２、３、７を用いて説明する。ここでは、赤のデータについて、書き込み、表示させる動作について説明する。
【００５８】
図３（ａ）は、赤の階調データに対応する電圧を液晶表示パネル１６の全画素に書き込む際における、すなわち図７に示すＲ順次の期間における、ソースドライバ１３への入力信号のタイミングを示しており、図３（ｂ）は、その際の、液晶表示パネル１６の各画素２１、２２、２３、２４、…の液晶への電圧書き込みタイミングを示している。図３（ａ）に示す、Ｒ０、Ｒ１、Ｒ２、Ｒ３、…は、それぞれ、液晶表示パネル１６の各画素２１、２２、２３、２４、…に書き込む赤の階調データを示している。そして、図３（ｂ）に示す、Ｒ０、Ｒ１、Ｒ２、Ｒ３、…は、それぞれ、液晶表示パネル１６の各画素２１、２２、２３、２４、…の液晶への書き込み電圧を示している。
【００５９】
信号処理部１０は、入力される映像信号から、赤の映像データを抽出し、ソースドライバ１３の入力部ＲＩＮ、ＧＩＮ、ＢＩＮに入力する。ここで、信号処理部６０は、図３（ａ）に示すように、同じタイミングで、異なるデータＲ０、Ｒ１、Ｒ２をそれぞれ、ソースドライバ１３の入力部ＲＩＮ、ＧＩＮ、ＢＩＮに入力する。
【００６０】
そして、液晶表示パネル１６の画素２１の液晶には、図３（ｂ）に示すように、赤の階調データに対応する電圧Ｒ０が書き込まれる。また、画素２２の液晶には、図３（ｂ）に示すように、同じタイミングで、赤の階調データに対応する電圧Ｒ１が書き込まれる。また、画素２３の液晶には、図３（ｂ）に示すように、これも同じタイミングで、赤の階調データに対応する電圧Ｒ２が書き込まれる。
【００６１】
そして、液晶表示パネル１６の画素２４の液晶には、図３（ｂ）に示すように、画素２４に続く２つの画素の液晶に赤の階調データに対応する電圧Ｒ４およびＲ５を書き込むのと同じタイミングで、赤の階調データに対応する電圧Ｒ３が書き込まれる。このように、３つの画素に対して同じタイミングで、それぞれの赤の階調データに対応する電圧が順次書き込まれていく。
【００６２】
このようにして、図７に示すＲ順次の期間に、液晶表示パネル１６の全画素の液晶に赤の階調データに対応する電圧を書き込み保持させるとともに、赤のＬＥＤを点灯させて液晶表示パネル１上に赤色を表示させる。
【００６３】
同様にして、信号処理部１０が、Ｇ順次の期間には緑の階調データのみをソースドライバ１３に送信することによりそれぞれの画素に緑の階調に対応した電圧が順次書き込まれ、Ｂ順次の期間には青の階調データのみをソースドライバ１３に送信することにより、それぞれの画素に青の階調に対応した電圧が順次書き込まれるので、緑および青の表示が行われる。これらの、赤、緑、青の表示を１フレーム期間（１６．６ｍｓ）内に行うことにより、１フレームが表示される。
【００６４】
次に、信号処理部１０において、図３（ａ）に示すようなソースドライバ１３の入力部ＲＩＮ、ＧＩＮ、ＢＩＮに入力するデータの生成方法について説明する。
【００６５】
図４は、本実施の形態１の液晶表示装置の信号処理部１０における、ソースドライバへの入力信号の生成方法を説明する図である。
【００６６】
まず、信号処理部１０は、入力される映像信号を、赤、緑、青の３色の信号に分割する。図４に示すＲＥＤは、分割したうちの赤の階調データを示している。この分割は、従来の液晶表示装置の信号処理部６０でも行っていた処理であり、従来は、図９（ａ）に示すように、このＲＥＤの信号を、ソースドライバ１３のＲＩＮ、ＧＩＮ、ＢＩＮのそれぞれに同じタイミングで入力していた。
【００６７】
本実施の形態１の液晶表示装置の信号処理部１０では、この赤、緑、青の３色に分割した信号から、ソースドライバ１３のＲＩＮ、ＧＩＮ、ＢＩＮに入力させる信号を以下のようにして生成する。
【００６８】
ＲＥＤの赤の階調データは、画素毎のデータが順に並んでおり、クロック信号ＣＬＫの立ち上がりによって、各画素の赤の階調データを順に読み出せるようになっている。ＣＮＴは、ＲＥＤのデータを３分割するためのカウンタであり、ＣＬＫ信号によりカウントされる。
【００６９】
そして、Ｒ３Ｎ信号は、ＣＮＴ＝０の時のＣＬＫ信号の立ち上がりによりＲＥＤ信号を取り込み、次のＣＮＴ＝０の時のＣＬＫ信号の立ち上がりにより、そのときの新たなＲＥＤ信号を取り込み、データを更新していく。同様に、Ｒ３Ｎ＋１信号は、ＣＮＴ＝１の時のＣＬＫ信号の立ち上がりによりＲＥＤ信号を取り込んで更新していき、Ｒ３Ｎ＋２信号は、ＣＮＴ＝２の時のＣＬＫ信号の立ち上がりによりＲＥＤ信号を取り込んで更新していく。
【００７０】
このようにして、ＲＥＤ信号を、Ｒ３Ｎ、Ｒ３Ｎ＋１、Ｒ３Ｎ＋２の３つの信号に分割するとともに、それぞれのデータ有効期間を３倍にする。
【００７１】
そして、Ｒ３Ｎ、Ｒ３Ｎ＋１、Ｒ３Ｎ＋２の３つの信号を同期させて図３（ａ）に示す信号として出力し、それぞれの信号を、ソースドライバ１３の入力部ＲＩＮ、ＧＩＮ、ＢＩＮに入力させる。
【００７２】
以上のように、１画素へのデータ書き込みを表示色全色に対して１本の信号線で行わせる構成の液晶表示パネル１６を用い、液晶表示パネル１６の各画素２１、２２、２３、２４、…とソースドライバ１３の出力部との接続を図２のようにし、ソースドライバ１３の入力部ＲＩＮ、ＧＩＮ、ＢＩＮに図３（ａ）のように異なる信号を入力させることにより、図９（ｂ）に示すような、各画素に対応する階調データに対応した電圧を各画素２１、２２、２３、２４、…に書き込むことができる。１画素へのデータ書き込みを表示色全色に対して信号線１本で行わせる構成にしたことで、ソースドライバ１３の出力ラインを有効に活用できるので、ソースドライバの数を減らすことができる。つまり、従来のソースドライバの数を１／３にすることができる。
【００７３】
さらに、図３（ａ）と図９（ａ）を比較してわかるように、ソースドライバ１３への入力データの転送速度を１／３にできる。入力部ＲＩＮに入力されるデータについて見ると、例えば図９（ａ）ではＲ０、Ｒ１、Ｒ２の３つのデータを送信しなければならないが、本実施の形態１の液晶表示装置の図３（ａ）の場合には、入力部ＲＩＮにＲ０が入力されるのと同時に、Ｒ１およびＲ２のデータが入力部ＧＩＮおよびＢＩＮに入力されるので、入力部ＲＩＮにＲ１およびＲ２のデータを入力する必要がない。つまり、図９（ａ）でＲ０、Ｒ１、Ｒ２の３つのデータをＲＩＮに入力する期間内に、図３（ａ）ではＲ０の１つのデータだけをＲＩＮに入力すればよい。したがって、Ｒ０を入力する期間を従来の３倍にできる。
【００７４】
以上に説明したように、本実施の形態１の液晶表示装置を用いることにより、従来のソースドライバの出力ラインを有効に活用するとともに、ソースドライバへの転送速度を低減することができる。
【００７５】
（実施の形態２）
フィールドシーケンシャルカラー方式では、急速に動くものがあるシーンや、人間の視線が急速に移動した場合（サッケード）、網膜上のＲ、Ｇ、Ｂ信号の残色の位置ずれを色がついたように知覚されてしまうという色割れの問題が生じる。
【００７６】
本発明の実施の形態２の液晶表示装置は、この色割れの問題を軽減させるものである。
【００７７】
本実施の形態２の液晶表示装置の構成、およびソースドライバと液晶表示パネルとの接続は、実施の形態１と同様であり、図１および図２に示す通りである。実施の形態１とは、信号処理部１０からソースドライバ１３へのデータの転送方法が異なる。
【００７８】
図５は、本実施の形態２の液晶表示装置における、１フレームを表示する際の表示用データ書き込みタイミングおよびＬＥＤ発光タイミングを示している。
【００７９】
本実施の形態２の液晶表示装置では、色割れの問題を軽減させるために、１フレームの期間（１６．６ｍｓ）内に、赤、青、緑とともに、白も表示させる。
【００８０】
本実施の形態２の信号処理部１０は、入力される映像信号から、赤、緑、青の階調データを生成するとともに、白を表示させるための白の階調データも生成する。
【００８１】
例えば、各画素ごとに、赤、緑、青の階調データの値の平均値を白の階調データとする。そして、図５に示すＷ順次の期間に、算出した白の階調データに対応する電圧を液晶表示パネル１６の全画素に書き込むとともに、ＬＥＤバックライト１７の赤、緑、青の３色のＬＥＤを同時に発光させることにより白を表示させる。
【００８２】
図６は、Ｗ順次の期間に、信号処理部１０から、ソースドライバ１３の入力部ＲＩＮ、ＧＩＮ、ＢＩＮに入力する白の階調データを示している。赤、緑、青の階調データを転送する場合と同様に、３つの画素に対するデータを、同時に入力部ＲＩＮ、ＧＩＮ、ＢＩＮに入力していく。
【００８３】
このようにして、１フレーム期間内に、赤、緑、青とともに白を表示させることにより、色割れの問題を軽減させることができる。
【００８４】
なお、本実施の形態２では、色割れの問題を軽減させるために、１フレーム期間内に、赤、緑、青とともに白を表示させることとしたが、白以外に、赤、緑、青の中間色、すなわち、シアン（Ｃ）、マゼンタ（Ｍ）、黄色（Ｙ）を１フレーム期間内に混色させて表示させても、同様の色割れの問題を軽減させることができる。したがって、本実施の形態２において、１フレーム期間内に白を混色させる代わりに、赤、緑、青の中間色を混色させて表示（１フレーム期間内に、ＲＧＢＣ、ＲＧＢＭ、またはＲＧＢＹと切り替えて表示）させてもよい。また、１フレーム期間内に白を混色させる代わりに、シアン、マゼンタ、黄色、白のうちの複数の色を混色させて表示（例えば、１フレーム期間内に、ＲＧＢＣＷ、ＥＧＢＣＭＹ、…などと切り替えて表示）させてもよい。
【００８５】
なお、各実施の形態において、信号処理部１０は、従来の液晶表示装置の信号処理部６０と異なることとしたが、信号処理部６０の処理内容をファームウェアの書き換え等により変更できる場合には、その処理内容を書き換えるのみで、そのまま本発明の信号処理部として使用することができる。
【００８６】
なお、本発明のプログラムは、上述した本発明の画像データの転送方法の、入力される映像入力信号を、赤、緑、青のそれぞれの階調データに分割する前記映像信号分割ステップと、前記赤、緑、青のそれぞれの階調データについて、３Ｎ−２番目、３Ｎ−１番目、３Ｎ番目の画素に対応する階調データが、それぞれ、前記Ｒ用、Ｇ用、Ｂ用の３つの入力部に同時に入力されていくように、Ｎを１ずつ増加させながら順番に入力させていく前記階調データ入力ステップの、いずれかまたは両方のステップの動作をコンピュータにより実行させるためのプログラムであって、コンピュータと協働して動作するプログラムである。
【００８７】
また、本発明の記録媒体は、上述した本発明の画像データの転送方法の、入力される映像入力信号を、赤、緑、青のそれぞれの階調データに分割する前記映像信号分割ステップと、前記赤、緑、青のそれぞれの階調データについて、３Ｎ−２番目、３Ｎ−１番目、３Ｎ番目の画素に対応する階調データが、それぞれ、前記Ｒ用、Ｇ用、Ｂ用の３つの入力部に同時に入力されていくように、Ｎを１ずつ増加させながら順番に入力させていく前記階調データ入力ステップの、いずれかまたは両方のステップの動作をコンピュータにより実行させるためのプログラムを記録した記録媒体であり、コンピュータにより読み取り可能かつ、読み取られた前記プログラムが前記コンピュータと協働して利用される記録媒体である。
【００８８】
また、本発明のプログラムの一利用形態は、コンピュータにより読み取り可能な記録媒体に記録され、コンピュータと協働して動作する態様であっても良い。
【００８９】
また、記録媒体としては、ＲＯＭ等が含まれる。
【００９０】
また、上述した本発明のコンピュータは、ＣＰＵ等の純然たるハードウェアに限らず、ファームウェアや、ＯＳ、更に周辺機器を含むものであっても良い。
【００９１】
なお、以上説明した様に、本発明の構成は、ソフトウェア的に実現しても良いし、ハードウェア的に実現しても良い。
【産業上の利用可能性】
【００９２】
本発明にかかる液晶表示装置、液晶表示装置の製造方法、および画像データの転送方法は、従来のカラーフィルターを用いて駆動させる方式の液晶表示装置用のソースドライバを有効に活用し、そのソースドライバに入力する信号の転送速度を低減できるので、ＯＣＢモード液晶などを用いたフィールドシーケンシャルカラー方式の液晶表示装置、液晶表示装置の製造方法、および画像データの転送方法等に有用である。
【図面の簡単な説明】
【００９３】
【図１】本発明の実施の形態１の液晶表示装置の構成を示すブロック図
【図２】本発明の実施の形態１の液晶表示装置の、液晶表示パネルとソースドライバの接続を示す図
【図３】（ａ）本発明の実施の形態１の液晶表示装置における、ソースドライバへの入力信号（赤）のタイミングを示す図、（ｂ）本発明の実施の形態１の液晶表示装置における、各画素への電圧書き込みタイミングを示す図
【図４】本発明の実施の形態１の液晶表示装置の信号処理部における、ソースドライバへの入力信号の生成方法を示す図
【図５】本発明の実施の形態２の液晶表示装置における、１フレームを表示する際の表示用データ書き込みタイミングおよびＬＥＤ発光タイミングを示す図
【図６】本発明の実施の形態２の液晶表示装置における、ソースドライバへの入力信号（白）のタイミングを示す図
【図７】フィールドシーケンシャルカラー方式の液晶表示装置における、１フレームを表示する際の表示用データ書き込みタイミングおよびＬＥＤ発光タイミングを示す図
【図８】従来のフィールドシーケンシャルカラー方式の液晶表示装置の、液晶表示パネルとソースドライバの接続を示す図
【図９】（ａ）従来のフィールドシーケンシャルカラー方式の液晶表示装置における、ソースドライバへの入力信号のタイミングを示す図、（ｂ）従来のフィールドシーケンシャルカラー方式の液晶表示装置における、各画素への電圧書き込みタイミングを示す図
【符号の説明】
【００９４】
１０  信号処理部
１１  液晶ドライバ制御部
１２  ＬＥＤドライバ制御部
１３、６１、６２  ソースドライバ
１４  ゲートドライバ
１５  ＬＥＤドライバ
１６  液晶表示パネル
１７  ＬＥＤバックライト
１８  信号変換部
２１、２２、２３、２４  画素
５１、５２、５３  画素
６０  信号処理部
【図１】
2006293030.tif 000003
【図３】
2006293030.tif 000004
【図４】
2006293030.tif 000005
【図５】
2006293030.tif 000006
【図６】
2006293030.tif 000007
【図７】
2006293030.tif 000008
【図９】
2006293030.tif 000009
【図２】
2006293030.tif 000010
【図８】
2006293030.tif 000011